【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
少なくとも１つの加工面と、当該加工面と同一方向であって、面内の複数箇所の測定点の座標が既知である少なくとも１つの基準面とを有する工作機械の加工検査ワークを用いた機上計測方法であって、
前記工作機械で前記加工検査ワークを加工した後、前記工作機械のアタッチメントを前記加工検査ワークとの接触位置を検知する測定センサに交換し、
前記測定センサを用いて、前記基準面の前記測定点を測定する第１の測定を行い、
前記第１の測定の後、前記測定センサを用いて、前記基準面の前記測定点に隣接する前記加工面の測定点を測定する第２の測定を行い、
全ての前記基準面及び前記加工面について、前記第１の測定と前記第２の測定を交互に行い、全ての前記測定点の座標を検出する
ことを特徴とする工作機械の加工検査ワークを用いた機上計測方法。
【請求項２】
請求項１に記載の工作機械の加工検査ワークを用いた機上計測方法において、
前記加工検査ワークは、六面体の形状を有し、前記六面体の形状の下面を除く５面を前記加工面とすると共に、当該加工面の各々に複数の前記基準面を設けたものである
ことを特徴とする工作機械の加工検査ワークを用いた機上計測方法。
【請求項３】
請求項１又は請求項２に記載の工作機械の加工検査ワークを用いた機上計測方法において、
前記基準面及び前記加工面の前記測定点のうち、少なくとも前記加工面の前記測定点の座標は、当該測定点の位置と、当該測定点の位置を中心とする所定半径の円上の３つ以上の位置とを測定した座標の平均値から求める
ことを特徴とする工作機械の加工検査ワークを用いた機上計測方法。
【手続補正２】
【補正対象書類名】明細書
【補正対象項目名】発明の名称
【補正方法】変更
【補正の内容】
【発明の名称】工作機械の加工検査ワークを用いた機上計測方法
【手続補正３】
【補正対象書類名】明細書
【補正対象項目名】０００１
【補正方法】変更
【補正の内容】
【０００１】
本発明は、工作機械の機上計測を用いて、工作精度の検査を行うことができる工作機械の加工検査ワークを用いた機上計測方法に関する。
【手続補正４】
【補正対象書類名】明細書
【補正対象項目名】０００６
【補正方法】変更
【補正の内容】
【０００６】
本発明は上記課題に鑑みなされたもので、工作機械の機上計測により工作精度の検査を行うことができる工作機械の加工検査ワークを用いた機上計測方法を提供することを目的とする。
【手続補正５】
【補正対象書類名】明細書
【補正対象項目名】０００７
【補正方法】変更
【補正の内容】
【０００７】
上記課題を解決する第１の発明に係る工作機械の加工検査ワークを用いた機上計測方法は、
少なくとも１つの加工面と、当該加工面と同一方向であって、面内の複数箇所の測定点の座標が既知である少なくとも１つの基準面とを有する工作機械の加工検査ワークを用いた機上計測方法であって、
前記工作機械で前記加工検査ワークを加工した後、前記工作機械のアタッチメントを前記加工検査ワークとの接触位置を検知する測定センサに交換し、
前記測定センサを用いて、前記基準面の前記測定点を測定する第１の測定を行い、
前記第１の測定の後、前記測定センサを用いて、前記基準面の前記測定点に隣接する前記加工面の測定点を測定する第２の測定を行い、
全ての前記基準面及び前記加工面について、前記第１の測定と前記第２の測定を交互に行い、全ての前記測定点の座標を検出する
ことを特徴とする。
【手続補正６】
【補正対象書類名】明細書
【補正対象項目名】０００８
【補正方法】変更
【補正の内容】
【０００８】
上記課題を解決する第２の発明に係る工作機械の加工検査ワークを用いた機上計測方法は、
上記第１の発明に記載の工作機械の加工検査ワークを用いた機上計測方法において、
前記加工検査ワークは、六面体の形状を有し、前記六面体の形状の下面を除く５面を前記加工面とすると共に、当該加工面の各々に複数の前記基準面を設けたものである
ことを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
上記課題を解決する第３の発明に係る工作機械の加工検査ワークを用いた機上計測方法は、
上記第１又は第２の発明に記載の工作機械の加工検査ワークを用いた機上計測方法において、
前記基準面及び前記加工面の前記測定点のうち、少なくとも前記加工面の前記測定点の座標は、当該測定点の位置と、当該測定点の位置を中心とする所定半径の円上の３つ以上の位置とを測定した座標の平均値から求める
ことを特徴とする。
【手続補正９】
【補正対象書類名】明細書
【補正対象項目名】００１３
【補正方法】変更
【補正の内容】
【００１３】
【図１】本発明に用いる工作機械の加工検査ワークの実施形態の一例を示す図であり、（ａ）は、当該加工検査ワークを所定方向から見た斜視図であり、（ｂ）は、当該加工検査ワークを所定方向と逆の方向から見た斜視図である。
【図２】本発明に係る工作機械の加工検査ワークを用いた機上計測方法の実施形態の一例を説明する図であり、（ａ）は、当該加工検査ワークを所定方向から見た斜視図であり、（ｂ）は、当該加工検査ワークを所定方向と逆の方向から見た斜視図である。
【図３】本発明に係る工作機械の加工検査ワークを用いた機上計測方法の実施形態の一例を更に詳しく説明する図であり、（ａ）は、当該加工検査ワークの斜視図であり、（ｂ）は、基準面の測定点の拡大図であり、（ｃ）は、加工面の測定点の拡大図である。
【手続補正１０】
【補正対象書類名】明細書
【補正対象項目名】００１４
【補正方法】変更
【補正の内容】
【００１４】
以下、図１〜図３を参照して、本発明に係る工作機械の加工検査ワークを用いた機上計測方法を説明する。
【手続補正１１】
【補正対象書類名】明細書
【補正対象項目名】００１５
【補正方法】変更
【補正の内容】
【００１５】
［実施例１］
図１は、本実施例で用いる工作機械の加工検査ワークを示す図であり、図１（ａ）は、当該加工検査ワークを所定方向から見た斜視図であり、図１（ｂ）は、当該加工検査ワークを所定方向と逆の方向から見た斜視図である。又、図２は、本実施例の工作機械の加工検査ワークを用いた機上計測方法を説明する図であり、図２（ａ）は、当該加工検査ワークを所定方向から見た斜視図であり、図２（ｂ）は、当該加工検査ワークを所定方向と逆の方向から見た斜視図である。又、図３は、本実施例の工作機械の加工検査ワークを用いた機上計測方法を更に詳しく説明する図であり、図３（ａ）は、当該加工検査ワークの斜視図であり、図３（ｂ）は、基準面の測定点の拡大図であり、図３（ｃ）は、加工面の測定点の拡大図である。
【手続補正１２】
【補正対象書類名】明細書
【補正対象項目名】００１６
【補正方法】変更
【補正の内容】
【００１６】
本実施例で用いる加工検査ワーク１０は、工作機械（図示省略）の機上計測で用いるものであり、工作機械で加工検査ワーク１０を加工後、その工作機械に取り付けた測定用センサを用いて、加工後の加工検査ワーク１０を機上計測して、工作機械の工作精度の検査を行うことができるものである。